(57)【要約】【課題】便利で使い勝手のよいリモコン装置を提供すること。【解決手段】本発明のリモコン装置は、第１のリモコン装置３と第２のリモコン装置１８とを備え、一方のリモコン装置３（１８）から他方のリモコン装置１８（３）を呼び出す呼出機能と、一方のリモコン装置３（１８）と他方のリモコン装置１８（３）との間で通話を行う通話機能のどちらか一方を選択可能に構成したことにより、設置してから使用者が設置状況に応じた機能を選択することができ、便利で使い勝手がよくなる。【選択図】図１
2010273230.tif 000002
【特許請求の範囲】
【請求項１】
第１のリモコン装置と第２のリモコン装置とを備え、一方のリモコン装置から他方のリモコン装置を呼び出す呼出機能と、一方のリモコン装置と他方のリモコン装置との間で通話を行う通話機能のどちらか一方を選択可能に構成したことを特徴とするリモコン装置。
【発明の詳細な説明】
【技術分野】
【０００１】
本発明は、複数個所に設置された給湯機のリモコン装置に関するものである。
【背景技術】
【０００２】
従来の給湯機では、浴室リモコンと台所リモコンの間で通話が可能な通話機能のついたリモコン装置と、浴室リモコンまたは台所リモコンの一方から他方のリモコンを呼び出す呼出機能の付いたリモコン装置のどちらか一方を給湯機の購入時に選択していた（例えば、特許文献１参照）。
【先行技術文献】
【特許文献】
【０００３】
【特許文献１】特開２００６−１０５５０３号公報
【発明の概要】
【発明が解決しようとする課題】
【０００４】
しかしながら、従来の給湯機のリモコン装置では、通話機能付きのリモコン装置を購入したが、実際に設置して使用すると、自らの声で呼びかけるのが不都合な時や、浴室リモコンと台所リモコンの位置によりハウリングが発生して、通話機能や浴室モニター機能が使いにくい状況が生じる場合がある。このように購入して、取り付けて初めて分かることや、呼出機能のみが付いたリモコン装置を購入して使用してみると、通話機能が必要であることが感じたとしても、通話ができないリモコン装置に使用者が不満を感じるという課題があった。
【０００５】
本発明は、前記従来の課題を解決するもので、便利で使い勝手のよいリモコン装置を提供することを目的とする。
【課題を解決するための手段】
【０００６】
前記従来の課題を解決するために、本発明のリモコン装置は、第１のリモコン装置と第２のリモコン装置とを備え、一方のリモコン装置から他方のリモコン装置を呼び出す呼出機能と、一方のリモコン装置と他方のリモコン装置との間で通話を行う通話機能のどちらか一方を選択可能に構成したことにより、設置してから使用者が設置状況に応じた機能を選択することができ、便利で使い勝手がよくなる。
【発明の効果】
【０００７】
本発明は、便利で使い勝手のよいリモコン装置を提供することができる。
【図面の簡単な説明】
【０００８】
【図１】本発明の実施の形態１におけるリモコン装置の構成図
【図２】同実施の形態１におけるフローチャート
【発明を実施するための形態】
【０００９】
第１の発明のリモコン装置は、第１のリモコン装置と第２のリモコン装置とを備え、一方のリモコン装置から他方のリモコン装置を呼び出す呼出機能と、一方のリモコン装置と他方のリモコン装置との間で通話を行う通話機能のどちらか一方を選択可能に構成したことにより、設置してから使用者が設置状況に応じた機能を選択することができ、便利で使い勝手がよくなる。
【００１０】
以下、本発明の実施の形態について、図面を参照しながら説明する。なお、この実施の形態によって本発明が限定されるものではない。
【００１１】
（実施の形態１）
図１は、本実施の形態１におけるリモコン装置である。図１において、給湯機１には、リモコン接続線２を介して第１のリモコン装置である風呂リモコン３および第２のリモコン装置である台所リモコン１８と接続している。
【００１２】
まず、風呂リモコン３には、給湯温度や風呂温度などを表示する蛍光表示管の表示部４、風呂リモコン３で風呂予約や風呂の湯量を設定するなどのメニュー方式で画面を切り替えるメニューボタン５およびメニューの項目を選択するダウンボタン６とアップボタン７、その選択された項目を確定する確定ボタン８がある。
【００１３】
その下の段には左からリモコン電源を切／入できるリモコン切／入ボタン９と、そのリモコン電源が入になっていることを表示するリモコン切／入ＬＥＤ１０、風呂リモコン３と台所リモコン１８で通話することが出来る通話（呼び出し）ボタン１１と、通話（呼び出し）しているときに点灯する通話（呼び出し）ＬＥＤ１２、風呂の追い焚き指示を行う追い焚きボタン１３と追い焚き中であることを表示する追い焚きＬＥＤ１４、風呂の自動お湯張り、自動保温などを行う風呂自動ボタン１５と風呂自動中であることを表示する風呂自動ＬＥＤ１６、お知らせや通話（呼び出し）の音声が出力されるスピーカー１７で構成されている。
【００１４】
同様に、台所リモコン１８は、給湯温度や風呂温度などを表示する蛍光表示管の表示部１９、台所リモコン１８で沸き上げ設定や音量の設定を設定するなどのメニュー方式で画面を切り替えるメニューボタン２０およびメニューの項目を選択するダウンボタン２１とアップボタン２２、その選択された項目を確定する確定ボタン２３がある。
【００１５】
その下の段には、左から当日や前日の使用したお湯の量を確認できる湯使用量ボタン２４と、その湯使用量の確認中であることを表示する湯使用量ＬＥＤ２５、急な来客などでお湯をすぐにわかし始めたいときに沸き上げの始める指示ができる沸き増しボタン２６と沸き増し中であることを表示する沸き増しＬＥＤ２７、台所リモコン１８と風呂リモコン３で通話（呼び出し）をするときに使う通話（呼び出し）ボタン２８と、通話（呼び出し）しているときに点灯する通話（呼び出し）ＬＥＤ２９、風呂の自動お湯張り、自動保温などを行う風呂自動ボタン３０と風呂自動中であることを表示する風呂自動ＬＥＤ３１、お知らせや、通話（呼び出し）の音声が出力されるスピーカー３２、そして通話機能と音声呼出機能を切り替える切り替えスイッチ３３で構成されている。
【００１６】
以上のような構成について、本発明のリモコン装置の「通話機能」と「呼出機能」との切り替えについて説明する。
【００１７】
まず、台所リモコン１８に設けた切り替えスイッチ３３を「通話」側にすると、台所リモコン１８と浴室リモコン３の間で通話や浴室の様子が確認できる通話機能（浴室モニター機能）が使用可能となる。
【００１８】
また、切り替えスイッチ３３を「呼出」側にすると、台所リモコン１８または浴室リモコン３で呼び出しボタン１１または２８を押すと、「台所で呼んでいます。」や「お風呂で呼んでいます。」等の音声が流れるという構成となっている。
【００１９】
このように家族の状態により通話機能にするか音声呼び出しかを選択できることにより、たとえばお年寄りの世話を急にするようになったときなど、通話機能では使えなかった
ものが音声お知らせ機能に切り替えることで、お年寄りでも容易に浴室リモコン３から台所リモコン１８を呼び出したりすることが出来るなど利便性が高めることが出来る。
【００２０】
以上のように、切り替えスイッチ３３を設けることで簡単に「通話機能」と「呼出機能」とを切り替えることができる。
【００２１】
また、「通話機能」と「呼出機能」との切替を通常の操作ボタンの特殊操作で選択できるようにしてもよい。このように構成することで、子供のいたずら操作などで容易に切り替わらないようにできる。
【００２２】
例えば一例として、給湯機の電源を投入して２分以内に台所リモコン１８のメニューボタン２０と確定ボタン２３を１０秒間押し続けると「ピッ」と音が鳴り、リモコンの機能が通話機能だったときは音声お知らせ機能に、音声お知らせ機能だったときは通話機能に機能が切り替わる構成としている。
【００２３】
この構成の場合は、実施の形態１では使用者がいつでも勝手にリモコンの機能を替えることが可能だが、その反面、誤使用や誤解によりクレームになる可能性がある。そのため販売店や工事店で使用者の使い方に併せて機能を切り替えることが可能としているため、誤使用や誤解を与えない給湯器のリモコンを提供することが出来る。
【００２４】
また、「通話機能」と「呼出機能」との切替をメニューに従って選択するようにしても良く、このように構成することで不用意に違う機能に変わらないリモコン装置を提供できる。
【００２５】
図２はメニューに従って機能を選択するチャートである。図２に示すように、メニューボタン２０を複数回押すことで、Ｓ１のリモコン設定のメニューが表示される。次に、ダウンボタン２１、アップボタン２２を押して、リモコン機能選択の項目にカーソルを合わせて、確定ボタン２３を押すと、Ｓ２のリモコン機能選択の画面になる。
【００２６】
そしてＳ２では、リモコンの機能が「通話機能」もしくは「音声お知らせ機能（呼出機能）」のどちらかが選択できる。そこで確定ボタン２３を押すか、ダウンボタン２１を押して確定ボタン２３を押すと、Ｓ３で選択したリモコン機能の確認画面が表示される。
【００２７】
さらにＳ３で確定ボタン２３を押すと、設定画面が終了し、メイン画面のＳ４に戻る。今回の例では図２に示すチャートの設定で、「通話機能」が設定された。
【００２８】
このように、リモコンの機能選択をメニュー形式で行えるようにすることで、使用者が選択できるが、うっかり機能が変わってしまうことがないため、誤使用や誤解を与えることなく、利便性を高めた給湯機のリモコン装置を提供することができる。
【産業上の利用可能性】
【００２９】
以上のように、本発明は浴室と台所で通話や呼び出しを行う給湯機のリモコン装置全般に利用することができる。
【符号の説明】
【００３０】
１  給湯機本体
２  リモコン接続線
３  風呂リモコン
４  表示部（風呂リモコン）
５  メニューボタン（風呂リモコン）
６  ダウンボタン（風呂リモコン）
７  アップボタン（風呂リモコン）
８  確定ボタン（風呂リモコン）
９  リモコン切／入ボタン（風呂リモコン）
１０  リモコン切／入ＬＥＤ（風呂リモコン）
１１  通話（呼び出し）ボタン（風呂リモコン）
１２  通話（呼び出し）ＬＥＤ（風呂リモコン）
１３  追い焚きボタン
１４  追い焚きＬＥＤ
１５  風呂自動ボタン（風呂リモコン）
１６  風呂自動ＬＥＤ（風呂リモコン）
１７  スピーカー（風呂リモコン）
１８  台所リモコン
１９  表示部（台所リモコン）
２０  メニューボタン（台所リモコン）
２１  ダウンボタン（台所リモコン）
２２  アップボタン（台所リモコン）
２３  確定ボタン（台所リモコン）
２４  湯使用量ボタン
２５  湯使用量ＬＥＤ
２６  沸き増しボタン
２７  沸き増しＬＥＤ
２８  通話（呼び出し）ボタン（台所リモコン）
２９  通話（呼び出し）ＬＥＤ（台所リモコン）
３０  風呂自動ボタン（台所リモコン）
３１  風呂自動ＬＥＤ（台所リモコン）
３２  スピーカー（台所リモコン）
３３  切り替えスイッチ
【図１】
2010273230.tif 000003
【図２】
2010273230.tif 000004